(57)【要約】【課題】ブルーレイディスクドライブで時間変化量を用いてＨＭＷ信号を検出する装置及び方法を提供する。【解決手段】ＨＭＷ信号検出器では、コード決定部が基礎ウォッブル信号と設定された基準レベルとを比較して、時間変化方向性を示すパルスをアナログ的に検出し、ＰＬＬで生成されたチャンネルクロック信号及びウォッブルクロック信号を用いて、方向性を示すパルス幅から前記基礎ウォッブル信号のコード値をデジタル的に決定する光ディスクドライブである。これにより決定されたコード値は、累積されて最終ウォッブルデータを生成する基盤となる。【選択図】図４
2007042267.tif 000002
【特許請求の範囲】
【請求項１】
入力ウォッブル信号をデジタル信号に変換する比較器と、
前記比較器の出力信号によって周波数が一定にロッキングされたチャンネルクロック信号及びウォッブルクロック信号を生成するＰＬＬと、
基準レベルに対する前記入力ウォッブル信号の比較から前記入力ウォッブル信号の時間変化方向性を決定し、前記決定に基づいて前記チャンネルクロック信号及び前記ウォッブルクロック信号を用いて、前記入力ウォッブル信号のコード値を決定するコード決定部と、を備えることを特徴とする光ディスクドライブのウォッブル検出器。
【請求項２】
前記基準レベルは、
前記入力ウォッブル信号のピーク・ツー・ピークレベルの少なくとも７０％以上に設定されることを特徴とする請求項１に記載の光ディスクドライブのウォッブル検出器。
【請求項３】
前記チャンネルクロック信号は、前記ウォッブルクロック信号の６９倍の周波数を有することを特徴とする請求項１に記載の光ディスクドライブのウォッブル検出器。
【請求項４】
前記コード決定部は、
前記基準レベルと前記入力ウォッブル信号とを比較して、前記時間変化方向性を示すパルスを検出するアナログ処理部と、
前記方向性を示すパルス幅から前記チャンネルクロック信号及び前記ウォッブルクロック信号を用いて、前記入力ウォッブル信号のコード値を決定するデジタル処理部と、を備えることを特徴とする請求項１に記載の光ディスクドライブのウォッブル検出器。
【請求項５】
前記ウォッブルクロック信号に同期して前記決定されたコード値を累積する累積器と、
前記累積結果を臨界値と比較して、ロジックハイまたはロジックローの比較結果を最終ウォッブルデータとして生成する第２比較器と、をさらに備えることを特徴とする請求項４に記載の光ディスクドライブのウォッブル検出器。
【請求項６】
前記アナログ処理部は、前記入力ウォッブル信号のピーク側の時間変化方向性を示す第１パルス及び前記入力ウォッブル信号のボトム側の時間変化方向性を示す第２パルスを検出し、
前記デジタル処理部は、前記第１及び第２パルスの幅から前記入力ウォッブル信号のコード値を決定することを特徴とする請求項４に記載の光ディスクドライブのウォッブル検出器。
【請求項７】
前記アナログ処理部は、
前記入力ウォッブル信号のピークレベルを検出するピーク検出器と、
前記入力ウォッブル信号のボトムレベルを検出するボトム検出器と、
前記ピーク検出器の出力とパワーソースとの間に直列連結された二つの第１抵抗と、
前記ボトム検出器の出力と前記パワーソースとの間に直列連結された二つの第２抵抗と、
前記入力ウォッブル信号と前記二つの第１抵抗の間の信号とを比較して、前記第１パルスを生成する第１比較器と、
前記入力ウォッブル信号と前記二つの第２抵抗の間の信号とを比較して、前記第２パルスを生成する第２比較器と、を備えることを特徴とする請求項６に記載の光ディスクドライブのウォッブル検出器。
【請求項８】
前記デジタル処理部は、
前記チャンネルクロック信号から互いに逆位相であり、入力ウォッブル信号周波数を有する第１クロック信号及び第２クロック信号を生成する分周器と、
前記第１パルス及び前記第１クロック信号を受ける第１ＡＮＤロジックと、
前記第２パルス及び前記第２クロック信号を受ける第２ＡＮＤロジックと、
前記チャンネルクロック信号を用いて前記第１ＡＮＤロジック出力のパルス幅をカウントして、第１カウント値を生成する第１カウンタと、
前記チャンネルクロック信号を用いて前記第２ＡＮＤロジック出力のパルス幅をカウントして、第２カウント値を生成する第２カウンタと、
前記ウォッブルクロック信号に同期して前記第１カウント値から前記第２カウント値を減算して、前記減算結果によって前記入力ウォッブル信号のコード値を生成する減算器と、を備えることを特徴とする請求項６に記載の光ディスクドライブのウォッブル検出器。
【請求項９】
前記光ディスクは、ＨＭＷ方式のウォッブルを有するディスクであることを特徴とする請求項１に記載の光ディスクドライブのウォッブル検出器。
【請求項１０】
入力ウォッブル信号をデジタル信号に変換する段階と、
前記比較器の出力信号によって周波数が一定にロッキングされたチャンネルクロック信号及びウォッブルクロック信号を生成する段階と、
基準レベルに対する前記入力ウォッブル信号の比較から前記入力ウォッブル信号の時間変化方向性を決定する段階と、
前記決定に基づいて前記チャンネルクロック信号及び前記ウォッブルクロック信号を用いて、前記入力ウォッブル信号のコード値を決定する段階と、を含むことを特徴とする光ディスクドライブのウォッブル検出方法。
【請求項１１】
光ピークアップ装置からピークアップされたＲＦ信号から光ディスクのウォッブルに該当する一定周波数帯域の信号を検出して、前記入力ウォッブル信号を出力する段階をさらに含むことを特徴とする請求項１０に記載の光ディスクドライブのウォッブル検出方法。
【請求項１２】
前記基準レベルは、
前記入力ウォッブル信号のピーク・ツー・ピークレベルの少なくとも７０％以上に設定されることを特徴とする請求項１０に記載の光ディスクドライブのウォッブル検出方法。
【請求項１３】
前記チャンネルクロック信号は、前記ウォッブルクロック信号の６９倍の周波数を有することを特徴とする請求項１０に記載の光ディスクドライブのウォッブル検出方法。
【請求項１４】
前記入力ウォッブル信号の時間変化方向性の決定段階は、
前記入力ウォッブル信号をアナログ的に処理して、前記基準レベルとの比較結果によって前記時間変化方向性を示すパルスを検出する段階を含み、
前記コード決定段階は、
前記方向性を示すパルス幅を前記チャンネルクロック信号及び前記ウォッブルクロック信号を用いてデジタル処理して、前記入力ウォッブル信号のコード値を決定する段階を含むことを特徴とする請求項１０に記載の光ディスクドライブのウォッブル検出方法。
【請求項１５】
前記ウォッブルクロック信号に同期して前記決定されたコード値を累積する段階、  前記累積結果を臨界値と比較して、ロジックハイまたはロジックローの比較結果を最終ウォッブルデータとして生成する段階と、をさらに含むことを特徴とする請求項１４に記載の光ディスクドライブのウォッブル検出方法。
【請求項１６】
前記入力ウォッブル信号の時間変化方向性の決定段階は、
前記入力ウォッブル信号のピーク側の時間変化方向性を示す第１パルスを検出する段階と、
前記入力ウォッブル信号のボトム側の時間変化方向性を示す第２パルスを検出する段階とを含み、
前記コード決定段階は、
前記第１及び第２パルスの幅から前記入力ウォッブル信号のコード値を決定する段階を含むことを特徴とする請求項１４に記載の光ディスクドライブのウォッブル検出方法。
【請求項１７】
前記入力ウォッブル信号の時間変化方向性の決定段階は、
前記入力ウォッブル信号のピークレベルを検出する段階と、
前記入力ウォッブル信号のボトムレベルを検出する段階と、
直列連結された抵抗を用いて前記検出されたピークレベルとパワーソースとの間のレベルを有する第１基準レベルを生成する段階と、
直列連結された他の抵抗を用いて前記検出されたボトムレベルと前記パワーソースとの間のレベルを有する第２基準レベルを生成する段階と、
前記入力ウォッブル信号と前記第１基準レベルとを比較して前記第１パルスを生成する段階と、
前記入力ウォッブル信号と前記第２基準レベルとを比較して前記第２パルスを生成する段階と、を含むことを特徴とする請求項１６に記載の光ディスクドライブのウォッブル検出方法。
【請求項１８】
前記コード決定段階は、
前記チャンネルクロック信号から互いに逆位相であり、入力ウォッブル信号周波数を有する第１クロック信号及び第２クロック信号を生成する段階と、
前記第１パルス及び前記第１クロック信号を第１ＡＮＤ演算する段階と、
前記第２パルス及び前記第２クロック信号を第２ＡＮＤ演算する段階と、
前記チャンネルクロック信号を用いて前記第１ＡＮＤ演算結果のパルス幅をカウントして、第１カウント値を生成する段階と、
前記チャンネルクロック信号を用いて前記第２ＡＮＤ演算結果のパルス幅をカウントして、第２カウント値を生成する段階と、
前記ウォッブルクロック信号に同期して前記第１カウント値から前記第２カウント値を減算して、前記減算結果によって前記入力ウォッブル信号のコード値を生成する段階と、を含むことを特徴とする請求項１６に記載の光ディスクドライブのウォッブル検出方法。
【請求項１９】
前記光ディスクは、ＨＭＷ方式のウォッブルを有するディスクであることを特徴とする請求項１０に記載の光ディスクドライブのウォッブル検出方法。
【発明の詳細な説明】
【技術分野】
【０００１】
本発明は、光ディスクドライブまたは光ディスクの再生／記録システムに係り、特に、ＢＤ(ｂｌｕ−ｒａｙ  ｄｉｓｋ)ドライブで時間変化量を用いて、ＨＭＷ(Ｈａｒｍｏｎｉｃ  Ｍｏｄｕｌａｔｅｄ  Ｗｏｂｂｌｅ)信号を検出する装置及び方法に関する。
【背景技術】
【０００２】
一般的なデジタル放送に使われるＢＤは、レーザー光ディスクであるＣＤやＤＶＤ系列よりはるかに多いデータを保存するように作られた。特に、光ディスクドライブでは、ブランクディスクに情報記録のためにアドレス、すなわち、トラック位置情報を得るために、ＨＭＷ(ＢＤ)、ＬＰＰ(ＤＶＤ−Ｒ／ＲＷ)、ＡＤＩＰ(ＤＶＤ＋Ｒ／ＲＷ)、ＣＡＰＡ(ＤＶＤ−ＲＡＭ)を検出できなければならない。
【０００３】
図１は、一般的なＢＤに記録されるウォッブル情報を示す図面である。図１を参照すれば、ＢＤのトラックは、ＭＳＫ(Ｍｉｎｉｍｕｍ  Ｓｈｉｆｔ  Ｋｅｙｉｎｇ−ｃｏｓｉｎｅ  ｖａｒｉａｎｔ)及びＨＭＷ方式によって、モノトーン部、基準部、同期化部ｓｙｎｃ＿０〜Ｓｙｎｃ＿３、及びデータ部ｄａｔａ＿０、Ｄａｔａ＿１を有し、各部は、ＭＳＫマーク、モノトーンウォッブル、及び“０”と“１”を表すのこぎり波(ｓａｗｔｏｏｔｈ)ウォッブルから構成される。ＢＤの各ウォッブルは、６９Ｔ周期を有する。ここで、Ｔはチャンネルクロックの一周期を示す。
【０００４】
図２は、一般的なＢＤディスクドライブ２００のブロック図である。図２を参照すれば、前記ディスクドライブ２００は、スピンドルモータ２１０、スレッドモータ２２０、ピークアップ装置２３０、サーボ制御部２４０、再生及び記録部２５０、ウォッブル信号検出部２６０、及びシステムコントローラ２７０を備える。
【０００５】
ＢＤディスクは、前記スピンドルモータ２１０の回転軸にローディングされて回転し、前記ピークアップ装置２３０は、前記スレッドモータ２２０の回転力によって左右運動できる。前記ピークアップ装置２３０は、前記サーボ制御部２４０によって制御されてディスクに記録された情報を読み取るか、またはエンコーディングされたデータを記録する。前記サーボ制御部２４０は、前記ピークアップ装置２３０に備えられるトラッキングアクチュエータ及びフォーカシングアクチュエータを駆動する。前記システムコントローラ２７０は、トラッキング制御のために、前記スピンドルモータ２１０、前記スレッドモータ２２０、及び前記サーボ制御部２４０を制御する。
【０００６】
図１のような形態にトラックが形成されているＢＤディスクの螺旋形トラックには、オーディオまたはビデオ情報がピットなどの形態に形成され、再生時に前記ピークアップ装置２３０に備えられる光素子は、そのような螺旋形のトラックを追跡して光ディスクに記録された情報からＲＦ(Ｒａｄｉｏ  Ｆｒｅｑｕｅｎｃｙ)信号を生成する。また、記録時、前記ピークアップ装置２３０は、エンコーディングされたデータを前記再生及び記録部２５０から受けて処理して、光ディスクの各トラックにピットなどの形態に該当データを光ディスクに記録できる。前記システムコントローラ２７０は、前記再生及び記録部２５０でデコーディングされたデータを後続プロセッサに伝送するか、後続プロセッサから受信された記録データを前記再生及び記録部２５０に伝達できる。
【０００７】
前記ウォッブル信号検出部２６０は、前記ピークアップ装置２３０から生成されたＲＦ信号ＲＦＯを処理してディスクごとに固有なウォッブル信号ＷＯＢＢを生成する。前記検出されたウォッブル信号ＷＯＢＢは、ブランクディスクに情報記録時に、現在追跡中であるトラックの正確なアドレス情報として提供されて、前記システムコントローラ２７０で前記スピンドルモータ２１０、前記スレッドモータ２２０、及び前記サーボ制御部２４０などを制御するためのタイミングクロック信号を生成する基礎信号として役割を行う。それ以外にも、前記検出されたウォッブル信号ＷＯＢＢは、ＡＤＩＰ(Ａｄｄｒｅｓｓ  ｉｎ  Ｐｒｅ−ｇｒｏｏｖｅ)機能の実行にも利用されうる。
【０００８】
ＢＤディスクのウォッブルは、図３のような形態に検出される。図３を参照すれば、モノトーンウォッブル信号３１は、“ｃｏｓ{２π(ｆｗ)ｔ}”の波形を有する。これに対して、例えば、デジタルコード“１”を示すためののこぎり波ウォッブル３２は、前記モノトーンウォッブル信号３１より時間的に先行し(ｌｅａｄ)、“ｃｏｓ{２π(ｆｗ)ｔ}＋ａ＊ｓｉｎ{２π(２ｆｗ)ｔ}”の波形を有する。また、デジタルコード“０”を示すためののこぎり波ウォッブル３３は、前記モノトーンウォッブル信号３１より時間的に遅れ(ｌａｇ)、“ｃｏｓ{２π(ｆｗ)ｔ}−a＊ｓｉｎ{２π(２ｆｗ)ｔ}”の波形を有する。ここで、ｆｗ は、ウォッブル周波数であり、ａ値として１／２より小さな任意の定数が利用されうる。
【０００９】
このような形態ののこぎり波ウォッブル３２、３３からデジタルコード“０”または“１”を得るために、従来には、のこぎり波ウォッブル３２、３３とモノトーンウォッブル３１との振幅差を検出する方法を使用していた。すなわち、ピークアップ装置２３０から生成されるＲＦ信号ＲＦＯを一定周期にサンプリングし、サンプリングされた値をデジタル信号に変換した後、現在サンプリングされた値によってのこぎり波ウォッブルのコードを決定する。しかし、ウォッブル周波数は、１倍速で９５６．５２ｋＨｚを有し、高速ＡＤＣ(Ａｎａｌｏｇ−ｔｏ−Ｄｉｇｉｔａｌ  Ｃｏｎｖｅｒｔｅｒ)が要求される前記のような従来のコード決定方法では、低倍速から高倍速まで満足時させるのに実質的に限界がある。
【発明の開示】
【発明が解決しようとする課題】
【００１０】
本発明が達成しようとする技術的課題は、ＢＤにコード化されたＨＭＷを時間変化から検出するウォッブル信号検出器を提供するところにある。
本発明が達成しようとする他の技術的課題は、ウォッブルの時間変化によるコード値決定の基準をモデリングし、入力ウォッブルを前記モデリングされた基準と比較してウォッブル信号を検出する方法を提供するところにある。
【課題を解決するための手段】
【００１１】
前記の技術的課題を達成するための本発明の一面による光ディスクドライブのウォッブル検出器は、比較器、ＰＬＬ、及びコード決定部を備えることを特徴とする。前記比較器は、入力ウォッブル信号をデジタル信号に変換する。前記ＰＬＬは、前記比較器の出力信号によって周波数が一定にロッキングされたチャンネルクロック信号及びウォッブルクロック信号を生成する。前記コード決定部は、基準レベルに対する前記入力ウォッブル信号の比較から前記入力ウォッブル信号の時間変化方向性を決定し、前記決定に基づいて前記チャンネルクロック信号及び前記ウォッブルクロック信号を用いて、前記入力ウォッブル信号のコード値を決定する。
【００１２】
前記ウォッブル検出器は、光ピークアップ装置からピークアップされたＲＦ信号から光ディスクのウォッブルに該当する一定周波数帯域の信号を検出して前記入力ウォッブル信号を出力するＢＰＦをさらに備えうる。前記ウォッブル検出器は、前記ウォッブルクロック信号に同期して前記決定されたコード値を累積する累積器と、前記累積結果を臨界値と比較して、ロジックハイまたはロジックローの比較結果を最終ウォッブルデータとして生成する第２比較器とをさらに備えうる。
【００１３】
前記コード決定部は、前記基準レベルと前記入力ウォッブル信号とを比較して、前記時間変化方向性を示すパルスを検出するアナログ処理部と、前記方向性を示すパルス幅から前記チャンネルクロック信号及び前記ウォッブルクロック信号を用いて、前記入力ウォッブル信号のコード値を決定するデジタル処理部とを備えることを特徴とする。前記アナログ処理部は、前記入力ウォッブル信号のピーク側の時間変化方向性を示す第１パルス及び前記入力ウォッブル信号のボトム側の時間変化方向性を示す第２パルスを検出し、前記デジタル処理部は、前記第１及び第２パルスの幅から前記入力ウォッブル信号のコード値を決定することを特徴とする。
【００１４】
前記の他の技術的課題を達成するための本発明の他の一面による光ディスクドライブのウォッブル検出方法は、入力ウォッブル信号をデジタル信号に変換する段階と、前記比較器の出力信号によって周波数が一定にロッキングされたチャンネルクロック信号及びウォッブルクロック信号を生成する段階と、基準レベルに対する前記入力ウォッブル信号の比較から前記入力ウォッブル信号の時間変化方向性を決定する段階と、前記決定に基づいて前記チャンネルクロック信号及び前記ウォッブルクロック信号を用いて、前記入力ウォッブル信号のコード値を決定する段階とを含むことを特徴とする。
【発明の効果】
【００１５】
本発明による光ディスクドライブでは、時間変化によって一定ウェーブを有する入力ウォッブルに対して、提示された基準レベルとの比較でコード値を決定するので、振幅比較のための高速ＡＤＣを使用せずとも安定的で正確な高周波ウォッブル信号を検出でき、これにより、ブルーレイディスクに情報記録時に正確なトラッキング追跡が可能である。
【発明を実施するための最良の形態】
【００１６】
本発明と本発明の動作上の利点及び本発明の実施によって達成される目的を十分に理解するためには、本発明の望ましい実施形態を例示する添付図面及び添付図面に記載された内容を参照せねばならない。
【００１７】
以下、添付した図面を参照して本発明の望ましい実施形態を説明することによって、本発明を詳細に説明する。各図面に提示された同じ参照符号は同じ部材を示す。
図４は、本発明の一実施形態によるウォッブル信号検出器４００のブロック図である。図４を参照すれば、前記ウォッブル信号検出器４００は、 帯域通過フィルタ(Ｂａｎｄ Ｐａｓｓ Ｆｉｌｔｅｒ：ＢＰＦ)４１０、比較器４２０、位相同期ループ (Ｐｈａｓｅ−Ｌｏｃｋｅｄ Ｌｏｏｐ：ＰＬＬ)４３０、コード決定部４４０、累積器４５０、及び比較器４６０を備える。
【００１８】
前記ＢＰＦ４１０は、図２の光ピークアップ装置２３０からピークアップされたＲＦ信号から不要なノイズを除去し、ＢＤディスクのウォッブルに該当する一定周波数帯域の信号を検出して基礎ウォッブル信号ＷＯＢＢを出力する。前記比較器４２０は、臨界値ＶＲＥＦと比較して前記ＢＰＦ４１０の出力信号を２進デジタル信号に変換する。例えば、臨界値ＶＲＥＦより前記ＢＰＦ４１０の出力信号が大きければ、前記比較器４２０はロジックハイ信号を出力し、そうでなければ、前記比較器４２０はロジックロー信号を出力する。前記ＰＬＬ４３０は、前記比較器４２０出力信号によって周波数が一定にロッキングされたチャンネルクロック信号ＰＬＣＣＫとウォッブルクロック信号ＰＬＷＣＫとを生成する。例えば、前記チャンネルクロック信号ＰＬＣＣＫは、前記ウォッブルクロック信号ＰＬＷＣＫの６９倍の周波数を有する。例えば、１倍速で前記チャンネルクロック信号ＰＬＣＣＫは６６ＭＨｚ信号である。
【００１９】
本発明では、前記コード決定部４４０がＡＤＣを使用せずに前記基礎ウォッブル信号ＷＯＢＢのコード値を決定する。すなわち、図３のような形態ののこぎり波ウォッブル３２、３３からデジタルコード“０”または“１”を得るために、前記コード決定部４４０は、設定された基準レベルＶＲＥＦＰ／ＶＲＥＦＢに対する前記基礎ウォッブル信号ＷＯＢＢの比較から前記基礎ウォッブル信号ＷＯＢＢがモノトーンウォッブルより先行するか遅れるか、すなわち、時間変化方向性をアナログ的に決定する。これによって、前記コード決定部４４０は、前記決定に基づいてデジタル的に前記基礎ウォッブル信号ＷＯＢＢのコード値を決定する。
【００２０】
前記累積器４５０は、前記ＰＬＬ４３０で生成された前記ウォッブルクロック信号ＰＬＷＣＫに同期して前記コード決定部４４０で決定されたコード値を累積し、前記比較器４６０は、前記累積結果を臨界値ＯＦＦＳＥＴと比較して、ロジックハイまたはロジックローの比較結果を最終ウォッブルデータとして生成する。このように検出された最終ウォッブルデータは、図２のようなシステムコントローラ３７０で現在追跡中であるＢＤディスクトラックの位置情報として利用され、記録時に必要なタイミングクロック信号を生成する基礎信号となる。
【００２１】
一方、前記コード決定部４４０は、アナログ処理部４４１及びデジタル処理部４４２を備える。前記アナログ処理部４４１は、基準レベルＶＲＥＦＰ／ＶＲＥＦＢと前記基礎ウォッブル信号ＷＯＢＢとを比較して時間変化方向性を示すパルスを検出する。前記デジタル処理部４４２は、前記方向性を示すパルスの幅から前記基礎ウォッブル信号ＷＯＢＢのコード値を決定する。
【００２２】
図４において、前記アナログ処理部４４１は、ピーク検出器４４１−１、ボトム検出器４４１−２、前記ピーク検出器４４１−１の出力とパワーソースＶＲＥＦとの間に直列連結された二つの抵抗Ｒ１、Ｒ２、前記ボトム検出器４４１−２の出力と前記パワーソースＶＲＥＦとの間に直列連結された他の二つの第２抵抗Ｒ１、Ｒ２、第１比較器４４１−３、及び第２比較器４４１−４を備える。前記パワーソースＶＲＥＦは、前記比較器４２０の臨界値レベルＶＲＥＦと同一でありうる。
【００２３】
前記ピーク検出器４４１−１は、前記ＢＰＦ４１０から出力される前記基礎ウォッブル信号ＷＯＢＢのピークレベルを検出する。前記ボトム検出器４４１−２は、前記基礎ウォッブル信号ＷＯＢＢのボトムレベルを検出する。これにより、図５及び図６のように、第１基準レベルＶＲＥＦＰ及び第２基準レベルＶＲＥＦＢが設定される。前記基準レベルＶＲＥＦＰ、ＶＲＥＦＢは、前記基礎ウォッブル信号ＷＯＢＢのピーク・ツー・ピーク(ｐｅａｋ−ｔｏ−ｐｅａｋ)レベルのピーク側及びボトム側に７０〜８０％程度に設定される。例えば、前記ピーク検出器４４１−１の出力と前記パワーソースＶＲＥＦとの間に直列連結された二つの抵抗Ｒ１、Ｒ２値が適切に決定されれば、数式１の前記第１基準レベルＶＲＥＦＰが前記ピーク検出器４４１−１で検出されたピークレベルの７０〜８０％程度のＤＣ(Ｄｉｒｅｃｔ  Ｃｕｒｒｅｎｔ)レベルを有しうる(図５及び図６参照)。また、前記ボトム検出器４４１−２出力と前記パワーソースＶＲＥＦとの間に直列連結された二つの抵抗Ｒ１、Ｒ２値が適切に決定されれば、数式２の前記第２基準レベルＶＲＥＦＢが前記ボトム検出器４４１−２で検出されたボトムレベルの７０〜８０％程度のＤＣレベルを有しうる。
【００２４】
【数１】
2007042267.tif 000003
【数２】
2007042267.tif 000004
【００２５】
前記第１比較器４４１−３は、前記ＢＰＦ４１０から出力される前記基礎ウォッブル信号ＷＯＢＢと前記第１基準レベルＶＲＥＦＰとを比較して、比較結果による第１パルスＰＷ１を生成する。例えば、前記基礎ウォッブル信号ＷＯＢＢが前記第１基準レベルＶＲＥＦＰより大きければ、前記第１パルスＰＷ１は論理ハイ状態であり、そうでなければ、前記第１パルスＰＷ１は論理ロー状態である。前記第２比較器４４１−４は、前記基礎ウォッブル信号ＷＯＢＢと前記第２基準レベルＶＲＥＦＢとを比較して第２パルスＰＷ２を生成する。例えば、前記基礎ウォッブル信号ＷＯＢＢが前記第２基準レベルＶＲＥＦＢより小さければ、前記第２パルスＰＷ２は論理ハイ状態であり、そうでなければ前記第２パルスＰＷ２は論理ロー状態である。
【００２６】
このように、前記アナログ処理部４４１は、前記基礎ウォッブル信号ＷＯＢＢのピーク側の時間変化方向性を示す前記第１パルスＰＷ１及び前記基礎ウォッブル信号ＷＯＢＢのボトム側の時間変化方向性を示す第２パルスＰＷ２を検出する。例えば、数式１の抵抗値を適切に設定することによって、前記基礎ウォッブル信号ＷＯＢＢがモノトーンウォッブルより先行すれば、前記第１パルスＰＷ１は広いロジックハイ区間であり、そうでなければ、前記第１パルスＰＷ１は狭いロジックハイ区間を有する。また、数式２の抵抗値を適切に設定することによって、前記基礎ウォッブル信号ＷＯＢＢがモノトーンウォッブルより遅れるならば、前記第２パルスＰＷ２は広いロジックハイ区間であり、そうでなければ、前記第２パルスＰＷ２は狭いロジックハイ区間を有する。図５及び図６には、前記第１パルスＰＷ１及び前記第２パルスＰＷ２に対する第１ＡＮＤロジック４４２−２及び第２ＡＮＤロジック４４２−３での出力結果が示されている。
【００２７】
図４において、前記デジタル処理部４４２は、分周器４４２−１、第１ＡＮＤロジック４４２−２、第２ＡＮＤロジック４４２−３、第１カウンタ４４２−４、第２カウンタ４４２−５、及び減算器４４２−６を備える。
前記分周器４４２−１は、ＰＬＬ４３０で生成された前記チャンネルクロック信号ＰＬＣＣＫから第１クロック信号φ１及び第２クロック信号φ２を生成する。前記第１クロック信号φ１及び前記第２クロック信号φ２は、図５及び図６のように、互いに逆位相であり、基礎ウォッブル信号ＷＯＢＢ周波数を有するクロック信号である。
【００２８】
前記第１ＡＮＤロジック４４２−２は、前記第１クロック信号φ１及び前記第１比較器４４１−３から生成された第１パルスＰＷ１に対してＡＮＤ演算する。前記第２ＡＮＤロジック４４２−３は、前記第２クロック信号φ２及び前記第２比較器４４１−４から生成された第２パルスＰＷ２に対してＡＮＤ演算する。前記基礎ウォッブル信号ＷＯＢＢがモノトーンウォッブルより先行する場合に、図５のように、前記第１ＡＮＤロジック４４２−２の出力は、前記第２ＡＮＤロジック４４２−３の出力より広いロジックハイ区間を有する。また、前記基礎ウォッブル信号ＷＯＢＢがモノトーンウォッブルより遅れる場合に、図６のように、前記第１ＡＮＤロジック４４２−２の出力は、前記第２ＡＮＤロジック４４２−３の出力より狭いロジックハイ区間を有する。
【００２９】
前記第１カウンタ４４２−４は、前記チャンネルクロック信号ＰＬＣＣＫを用いて、前記第１ＡＮＤロジック４４２−２出力のパルス幅をカウントして第１カウント値を生成する。前記第２カウンタ４４２−５は、前記チャンネルクロック信号ＰＬＣＣＫを用いて、前記第２ＡＮＤロジック４４２−３出力のパルス幅をカウントして第２カウント値を生成する。
【００３０】
前記減算器４４２−６は、ＰＬＬ４３０で生成された前記ウォッブルクロック信号ＰＬＷＣＫに同期して、前記第１カウント値から前記第２カウント値を減算し、前記減算結果が“０”より大きければ、前記基礎ウォッブル信号ＷＯＢＢのコード値としてロジックハイ信号(コード“１”)を生成し、前記減算結果が“０”より小さければ、前記基礎ウォッブル信号ＷＯＢＢのコード値としてロジックロー信号(コード“０”)を生成する。例えば、図５のように、前記基礎ウォッブル信号ＷＯＢＢがモノトーンウォッブルより先行する場合に、前記第１ＡＮＤロジック４４２−２出力のパルス幅が前記第２ＡＮＤロジック４４２−３出力のパルス幅より大きいので、前記減算器４４２−６は、コード“１”を出力する。また、図６のように、前記基礎ウォッブル信号ＷＯＢＢがモノトーンウォッブルより遅れる場合に、前記第１ＡＮＤロジック４４２−２出力のパルス幅が前記第２ＡＮＤロジック４４２−３出力のパルス幅より小さいので、前記減算器４４２−６は、コード“０”を出力する。
【００３１】
このように、前記デジタル処理部４４２は、前記第１及び第２パルスＰＷ２の幅からデジタル的に前記基礎ウォッブル信号ＷＯＢＢのコード値を決定する。
【００３２】
前述したように、本発明による光ディスクドライブのウォッブル信号検出器４００では、コード決定部４４０が基礎ウォッブル信号ＷＯＢＢと設定された基準レベルＶＲＥＦＰ／ＶＲＥＦＢとを比較して、時間変化方向性を示すパルスをアナログ的に検出し、ＰＬＬ４３０で生成されたチャンネルクロック信号ＰＬＣＣＫ及びウォッブルクロック信号ＰＬＷＣＫを用いて、前記方向性を示すパルス幅から前記基礎ウォッブル信号ＷＯＢＢのコード値をデジタル的に決定する。前記決定されたコード値は累積されて最終ウォッブルデータを生成する基盤となる。
【００３３】
以上、図面及び明細書で最適の実施形態が開示された。ここで、特定の用語が使われたが、これは、単に本発明を説明するための目的として使われたものに過ぎず、意味限定や特許請求の範囲に記載された本発明の範囲を制限するために使われたものではない。したがって、本技術分野で当業者ならば、これより多様な変形及び均等な他実施形態が可能であるという点を理解できるであろう。したがって、本発明の真の技術的保護範囲は、特許特許の範囲の技術的思想によって決定されなければならない。
【産業上の利用可能性】
【００３４】
本発明は、光ディスクドライブまたは光ディスク再生／記録システムに用いられる。
【図面の簡単な説明】
【００３５】
【図１】一般的なブルーレイディスクに記録されるウォッブル情報を示す図である。
【図２】一般的なＢＤディスクドライブのブロック図である。
【図３】ウォッブル信号の検出形態を説明するための図である。
【図４】本発明の一実施形態によるウォッブル信号検出器のブロック図である。
【図５】コード“１”検出動作を説明するための図４回路の信号の波形図である。
【図６】コード"０"検出動作を説明するための図４回路の信号の波形図である。
【符号の説明】
【００３６】
４００  ウォッブル信号検出器
４１０  帯域通過フィルタ
４２０  比較器
４３０  位相同期ループ
４４０  コード決定部
４４１  アナログ処理部
４４１−１  ピーク検出器
４４１−２  ボトム検出器
４４１−３  第１比較器
４４１−４  第２比較器
４４２  デジタル処理部
４４２−１  分周器
４４２−２  第１ＡＮＤロジック
４４２−３  第２ＡＮＤロジック
４４２−４  第１カウンタ
４４２−５  第２カウンタ
４４２−６  減算器
４５０  累積器
４６０  比較器
【図１】
2007042267.tif 000005
【図２】
2007042267.tif 000006
【図３】
2007042267.tif 000007
【図４】
2007042267.tif 000008
【図５】
2007042267.tif 000009
【図６】
2007042267.tif 000010